(57)【要約】【課題】料理店等において日常発生する生ゴミを、現地訪問して「脱液脱臭サラサラ物」に処理する生ゴミの訪問処理方法を提供する。【解決手段】生ゴミＤを破砕して脱液脱臭状態に処理する生ゴミの脱液脱臭処理機能と、該脱液脱臭処理によって発生した臭気を大気放散することなく吸臭処理する臭気処理機能を有する生ゴミ処理装置１を載設した生ゴミ処理車Ｔを、生ゴミ発生者の依頼に応じて生ゴミ発生場所に運行訪問し、しかるのち、該訪問先の発生生ゴミＤを生ゴミ処理車Ｔによって脱液脱臭サラサラ物に処理する生ゴミの訪問処理方法が特徴である。【選択図】　　図１
2004066142.tif 000002
【特許請求の範囲】
【請求項１】
生ゴミを破砕して脱液脱臭状態に処理する生ゴミの脱液脱臭処理機能と、該脱液脱臭処理によって発生した臭気を大気放散することなく吸臭処理する臭気処理機能を有する生ゴミ処理装置を載設した生ゴミ処理車を、生ゴミ発生者の依頼に応じて生ゴミ発生場所に運行訪問し、しかるのち、該訪問先の発生生ゴミを前記生ゴミ処理車によって脱液脱臭サラサラ物に処理することを特徴とする生ゴミの訪問処理方法。
【請求項２】
投入生ゴミの破砕攪拌用の回転羽根と該生ゴミの加熱手段を有する密封・開口自在の生ゴミ攪拌加熱室と、相互連通の微細通気孔群を上下方向に密に有する気体細分濾過層を水没形態にした気体脱臭室の組合せから成り、前記生ゴミ攪拌加熱室の臭気含有気体を強制吸引して前記気体細分濾過層の下側に放出させる気体吸引送出手段を前記生ゴミ攪拌加熱室と前記気体脱臭室の間に備えた構造の生ゴミ処理装置を載設した生ゴミ処理車を用いる請求項１の生ゴミの訪問処理方法。
【発明の詳細な説明】
【０００１】
【発明の属する技術分野】
本発明は、料理店・ホテル・旅館・民宿・スーパーマーケット・合宿所等の調理場・食材加工場等で日常発生する「野菜・果物くず、魚介類くず、肉類くず、飯・麺類くず、その他食材・料理残りくず」等の生ゴミを、その生ゴミ発生場所に出向訪問して脱液脱臭サラサラ物に処理する「生ゴミの訪問処理方法」に関するものである。
【０００２】
【従来の技術】
前記の生ゴミ発生場所において毎日多量に発生する生ゴミは、液分を多量に含有しているので「ベタベタ」して嵩ばって重く、その上臭液を垂らしたり悪臭を活発に発生して小虫が群がるので極めて不衛生なゴミであり、前記例示の発生場所では毎日のごとく専門業者に依託してゴミ焼却場に運搬して焼却処理したり、土中に埋め込み処理されている。
【０００３】
【発明が解決しようとする課題】
以上の従来の生ごみ処理方法は嵩ばって重い生ゴミの運搬が煩雑にして手数がかかると共に、所定場所への運搬後の処理は、多液含有生ゴミの焼却処理となるので多大の時間と手数がかかり、廃却処理が煩わしくコスト高になる。そして、有機肥料として再利用可能の生ゴミを無駄廃却するので資源の再利用性に欠ける。
【０００４】
本発明は、以上の従来技術の難点を解消する生ゴミの訪問処理方法を提供するものである。
【０００５】
【課題を解決するための手段】
以上の技術課題を解決する本発明の「生ゴミの訪問処理方法」は、「生ゴミを破砕して脱液脱臭状態に処理する生ゴミの脱液脱臭処理機能と、該脱液脱臭処理によって発生した臭気を大気放散することなく吸臭処理する臭気処理機能を有する生ゴミ処理装置を載設した生ゴミ処理車を、生ゴミ発生者の依頼に応じて生ゴミ発生場所に運行訪問し、しかるのち該訪問先の発生生ゴミを前記生ゴミ処理車によって脱液脱臭サラサラ物に処理することを特徴とする生ゴミの訪問処理方法」の第１発明と、
【０００６】
そして、その処理方法に用いる生ゴミ処理装置の構造を具体的に特定した「投入生ゴミの破砕攪拌用の回転羽根と該生ゴミの加熱手段を有する密封・開口自在の生ゴミ攪拌加熱室と、相互連通の微細通気孔群を上下方向に密に有する気体細分濾過層を水没形態にした気体脱臭室の組合せから成り、前記生ゴミ攪拌加熱室の臭気含有気体を強制吸引して前記気体細分濾過層の下側に放出させる気体吸引送出手段を前記生ゴミ攪拌加熱室と前記気体脱臭室の間に備えた構造の生ゴミ処理装置を載設した生ゴミ処理車を用いる前記構成の生ゴミの訪問処理方法」の第２発明によって構成されている。
【０００７】
即ち、前記構成の本発明の「生ゴミの訪問処理方法」は生ゴミ発生者の要請に応じて前記の「生ゴミ処理装置積載の生ゴミ処理車」を生ゴミ発生場所に出向訪問させて、その発生生ゴミから意図的に臭気・液分を発生させて脱液・臭気無発生状態に処理し、その処理によって生じた含臭気体を大気放散させることなく除臭処理して大気放散し、その発生生ゴミを「脱液無臭サラサラ物」に現地処理可能にする方法が特徴である。
【０００８】
【作用】
前記第１発明の生ゴミの訪問処理方法は、生ゴミの脱液脱臭機能と「その脱液脱臭機能による処理によって生じた含臭気体の臭気を大気放散させることなく吸臭処理する臭気処理機能」を有する生ゴミ処理装置を載設した生ゴミ処理車を、生ゴミ発生現地へ出向訪問させる生ゴミの現地処理が可能にして、その発生現地において脱液脱臭して特段に容積小と成した無発臭脱液状態の「サラサラ物」に処理できる。
【０００９】
そして、その処理によって生ずる臭気は大気放散することなく除臭処理されるので、生ゴミ処理時に周辺空間に臭気をもたらすことなく清浄な環境で処理できる。そして、その処理によって生じた前記の「脱液脱臭サラサラ物」は焼却無用にして有機肥料として有効活用したり、そのまま土中に埋めて地中還元することができる。
【００１０】
一方、前記第２発明に用いる生ゴミ処理装置は、前記の生ゴミ破砕加熱室において、生ゴミが活発に悪臭発生作用する環境条件の４０〜６０℃等に生ゴミを加熱して攪拌することによって生ゴミから悪臭気体を意図的に強制発生させ、しかるのち、その悪臭気体を前記の水没形態の気体細分濾過層に強制送出して強制通過させることによって、該悪臭気体に含有されている悪臭微粒子・悪臭分を該濾過層や水中に転位させて除去し、それによる悪臭除去気体のみを空中放散させると共に、その悪臭微粒子・悪臭気体の含有水を活性炭濾過手段等によって清浄化して排水溝等への直接廃棄を可能にする特有作用がある。
【００１１】
従って、前記第２発明の「構造限定の生ゴミ処理装置を用いる生ゴミの訪問処理方法」は、段落０００８に示す本発明の特有作用が極めて的確かつ有効高能率に機能する。
【００１２】
【発明の実施の形態】
本発明の「生ゴミの訪問処理方法」の１実施形態を図１〜図４を参照して説明する。即ち、この実施形態の「生ゴミの訪問処理方法」は、後述する生ゴミ処理装置１を荷台に積載した生ゴミ処理車Ｔを、料理店・ホテル等の生ゴミ発生者の要請に応じて生ゴミ発生現地へ訪問運行し、その訪問現地に生じている生ゴミＤを生ゴミ処理装置１によって現地処理して、生ゴミＤを「脱液脱臭サラサラ物Ｓ」に処理する生ゴミ処理プロセスが特徴にして、その生ゴミ処理装置１は以下の構造と機能を有している。
【００１３】
即ち（図２〜図４参照）この実施形態に用いる生ゴミ処理装置１は、方形中空箱体の下層の気体脱臭室３の上部に、方形中空箱体の生ゴミ攪拌加熱室２（以下、単に攪拌加熱室２という）を積層一体化した２層構造にして、この攪拌加熱室２内で発生した含臭気体Ａ１を吸引して気体脱臭室３に強制送出する気体吸引送出部４を備え、これ等によって主要部が構成されている。
【００１４】
詳しくは、攪拌加熱室２は（図２・図３参照）上部開口部１１に開閉蓋１２を有し、かつ、下半部分を半円筒胴部９にした密封・開放自在の中空箱体形態にして、側壁外側に設けた駆動部によって強制回転する作動軸５が、中空部の上下方向の中間部位に横設されると共に、この作動軸５には「作動軸５と直交するアーム６の先端に幅広爪の破砕攪拌爪７をＬ字状に有して、刃先が半円筒胴部９の内周に沿って回転する攪拌羽根８が作動軸５に対する取り付け角を順次ずらした形態にして複数本（図示は５本）並設されている。
【００１５】
さらに、この半円筒胴部９の内周（または外周）に沿って電熱ヒーターのバーヒーターＨが横断状に設けられると共に、側壁部分には攪拌加熱処理した生ゴミＤの処理物の取り出しドア１３が開閉自在に設けてある。
【００１６】
そして、上部開口部１１から生ゴミＤの適量を投入して開閉蓋１２を閉じて室内密封状態に成し、しかるのち、その生ゴミＤをバーヒーターＨで概ね４０〜６０℃に加熱しながら攪拌羽根８を概ね毎分１．５〜２．０の回転速度で１０〜３０分間程度回転させて均等に破砕攪拌処理する。そして、その処理済み物を取り出しドア１３を開いて取出し処理するように成っている。なお、この実施形態の攪拌加熱室２は概ね「６００粍×４５０粍×高さ６００粍」のサイズにして、バーヒーターＨは適宜な絶縁保護管等に収納して横設され、図中のＢは気体吸引送出部４の吸排気ブロアーである。
【００１７】
一方、気体脱臭室３は（図２・図４参照）同じく方形箱体の水槽形態にして気体吸引送出部４の送気管１４の先端に「送気管１４からの強制送出気体の含臭気体Ａ１を気体脱臭室３の底近傍から上方へ概ね均等に分散強制放出する排気分散ノズル１６を有する排気放出管１０」が設けてある。
【００１８】
そして、この排気放出管１０の上方には「相互連通の微細通気孔群を密に有する気体細分濾過層Ｆ（以下、単に濾過層Ｆという）」が上下方向に厚層を成して水没形態で設けられ、排気放出管１０からの排気気体の含臭気体Ａ１が濾過層Ｆの水中を自力浮力で浮上通過して脱臭気体Ａ２に処理されて上部中空部２０に至り、この上部中空部２０に設けた排気筒２１から自然流して大気放散される構造に設定されている。
【００１９】
なお、この実施形態の濾過層Ｆは「細い金属線を塊状に丸めた公知市販の金属たわし」を多数個投入した約２００粍の層厚さ」に形成されている。そして、この実施形態の気体脱臭室３は概ね「６００粍×４５０粍×高さ２５０粍、標準水深＝約２００粍」のサイズ諸元にして、図中の２２は給水パイプ、２３は排水パイプであり、この排水パイプ２３の入口側には濾過層Ｆを水没させた汚濁水を浄化して排水パイプ２３から浄化水を排出させる活性炭層の排水濾過部２４が設けてある。
【００２０】
以上の生ゴミ処理装置１は以下の作用がある、即ち、多量の液分（水分を含む）を含む生ゴミＤは密封状態の攪拌加熱室２内で、臭気発生し易い環境温度の約４０℃〜６０℃に加熱して破砕攪拌されるので、大気中で自然発生可能の臭分が充分に強制放出され、大気中に放置しても容易に悪臭発生しない脱液脱臭サラサラ物Ｓに処理される。
【００２１】
従って、攪拌加熱室２から取り出した生ゴミＤの処理物の「脱液脱臭サラサラ物Ｓ」は、投入した生ゴミＤを脱液によって特段に容積を小となし、かつ、大気中で発臭しない微細な脱臭サラサラ物にして、事後の処理が極めてし易くなると共に有機肥料として有効に活用できる。
【００２２】
そして、その攪拌加熱室２内に発生した含臭気体Ａ１は、気体吸引送出部４によって強制吸引送気されて気体脱臭室３の濾過層Ｆを自力通過することによって微細粒子に細断化されて表面積を大にして含有臭気が濾過材や水に置換吸収されて脱臭気体Ａ２に自動処理される。従って、大気中への有害な臭気を放散することがなく、生ゴミＤの処理による臭気トラブルは的確に防止される。
【００２３】
そして、その気体脱臭室３の水を適宜交換することによって、含臭気体Ａ１によって、汚濁化した水を清浄水に置換して気体脱臭室３の脱臭機能を良好に安定維持することが可能にして機能維持の日常メンテナンスが簡便にできる。
【００２４】
そして、この実施形態のものは前記の排水濾過部２４を有するので、前記汚濁水を浄化処理してそのまま排水溝等に放出処理することが可能にして、生ゴミＤの一連の処理プロセスが特段に簡便にして生ゴミ公害を生ずるおそれがない。
【００２５】
なお、以上の生ゴミ処理装置１の濾過層Ｆの構造は自力浮力によって上昇通過する含臭気体Ａ１を細分化する機能が要件にして、前記の「金たわし」以外の金属細線塊状体の充填、または、多孔質網目状の「しゅろ（やし科の常緑高木）」の「しゅろの毛」を層状に敷設した構造が適宜採択される。
【００２６】
以上の実施形態の生ゴミ処理装置１を載設した生ゴミ処理車Ｔによって以下の手法によって生ゴミ処理する。即ち（図１参照）この生ゴミ処理車Ｔを生ゴミ発生者の要請に応じて生ゴミ発生の現地を巡回訪問し、現地にある生ゴミバケット内等の生ゴミＤを攪拌加熱室２に投入して約２０〜３０分間破砕攪拌加熱して生ゴミＤから臭気と液分を意図的に攪拌加熱室２内に発生放散させて脱液脱臭サラサラ物Ｓに処理する。なお、図中のＣは作動電源コードである。
【００２７】
かくして、その処理中に生じた含臭気体Ａ１を、大気中に洩出させることなく気体脱臭室３に強制送気して濾過層Ｆを強制自然通過させることによって含臭気体Ａ１を脱臭気体Ａ２に浄化精製して排気筒２１から大気中へ放散させる。そして、攪拌加熱室２内の脱液脱臭サラサラ物Ｓは、取り出しドア１３から取り出されて有機肥料として活用したり、そのまま廃却される。
【００２８】
以上の実施形態の「生ゴミの訪問処理方法」は、多液含有にして悪臭発生ベタベタ状態の生ゴミＤを、一連の連続処理プロセスによって、大気中に臭気を放散させないで「脱液脱臭サラサラ物Ｓ」に簡便高能率に処理すると共に、その処理済み物を有機肥料（そのまま、または必要に応じて培養菌等を添加して）として有効に再生利用できる。
【００２９】
そして、以上の処理操作が生ゴミ発生の現地訪問によって現地処理できるので「生ごみを回集して運搬処理する」従来手法の多大の手数を要して煩わしい「嵩ばって重く臭液垂れ臭気発生する生ゴミ群の回集運搬処理」は無用にして日常多量発生する生ゴミＤの処理が、特段に簡素化・能率化すると共に処理コストが低減し生ゴミＤの日常処理が極めてし易くなる。
【００３０】
そして、以上の作用が享受できる生ゴミ発生者は、生ゴミ処理車の訪問配車を適正日時に依頼しておくことによって、不衛生な生ゴミを速やかに処理して生ゴミ存在による諸トラブルを未然防止し、良好な衛生環境の維持確保ができると共に、生ゴミＤの日常管理の煩わしさが解消できる。
【００３１】
続いて、図５を参照して本発明の他の実施形態を説明する。即ち、この図５に示すものは本発明の「生ゴミの訪問処理方法」に用いる他の生ゴミ処理装置が示してあり、図５（Ａ）のものは気体脱臭室３が図４実施例の「金たわし群」から成る濾過層Ｆの上に活性炭層の補助濾過層２５が設けられ、図５（Ｂ）のものは図４に示す水没形態の濾過層Ｆに代えて「活性炭層のみの濾過層Ｆ」を有し、それぞれ含臭気体Ａ１を脱臭気体Ａ２に脱臭処理するように成っている。
【００３２】
なお、本発明の「生ゴミの訪問処理方法」は、前記の実施形態に限定されず、前記実施形態の攪拌加熱室２に代えて「密閉室内で破砕攪拌した生ゴミを、圧縮処理（必要に応じて加熱）して脱液脱臭処理する形態」にすることがある。
【００３３】
【発明の効果】
以上の説明のとおり本発明の「生ゴミの訪問処理方法」は、従来の煩雑にして手数がかかる生ゴミ回集運搬は無用にして、生ゴミ発生現地において臭気放散をすることなく「脱液脱臭サラサラ物」に速やかに処理できるので、生ゴミ処理性が特段に向上し、生ゴミ発生による不衛生トラブルを解消して生ゴミ発生者の良好な環境維持を図ると共に日常管理の煩わしさを解消し、その上、生ゴミ処理コストの一段の低減を図ることができる。
【００３４】
そして、その生ゴミ処理物は、有機肥料として再利用できるので生ゴミ活用による資源再利用が可能になる。以上の有用な諸効果がある。
【図面の簡単な説明】
【図１】本発明の「生ゴミの訪問処理方法」の一実施形態の説明図
【図２】図１実施形態の生ゴミ処理装置の全体正面図
【図３】図１実施形態の生ゴミ処理装置の要部を示し、（Ａ）は生ゴミ攪拌加熱室の中央断面側面図、（Ｂ）は攪拌羽根の斜視図
【図４】図１実施形態の生ゴミ処理装置の要部を示し、（Ａ）は気体脱臭室の正面断面図、（Ｂ）は排気放出管の斜視図
【図５】本発明の他の実施形態の生ゴミ処理装置の要部を示し、（Ａ）（Ｂ）ともその気体脱臭室の正面断面図
【符号の説明】
１　生ゴミ処理装置
２　生ゴミ攪拌加熱室
３　気体脱臭室
４　気体吸引送出部
５　作動軸
７　破砕攪拌爪
８　攪拌羽根
９　半円筒胴部
１０　排気放出管
１２　開閉蓋
１４　送気管
１６　排気ノズル
２０　上部中空部
２１　排気筒
２４　排水濾過部
２５　補助濾過層
Ａ１　含臭気体
Ａ２　脱臭気体
Ｄ　生ゴミ
Ｆ　気体細分濾過層
Ｈ　バーヒーター
Ｔ　生ゴミ処理車
Ｓ　脱液脱臭サラサラ物
【図１】
2004066142.tif 000003
【図２】
2004066142.tif 000004
【図３】
2004066142.tif 000005
【図４】
2004066142.tif 000006
【図５】
2004066142.tif 000007